【手続補正書】
【提出日】平成15年11月7日(2003.11.7)
【手続補正１】
【補正対象書類名】明細書
【補正対象項目名】特許請求の範囲
【補正方法】変更
【補正の内容】
【特許請求の範囲】
【請求項１】
式（１）：
【化１】
1997165525.tif 000001
〔式中、
Ｂは、脂肪族の架橋員であり、
Ｄは、モノアゾ、ポリアゾ、金属錯体アゾ、アントラキノン、フタロシアニンホルマザン又はジオキサジン発色団の基であり、
（Ｒ)nは、Ｃ1 〜Ｃ4 アルキル、Ｃ1 〜Ｃ4 アルコキシ、ハロゲン及びスルホよりなる群からのｎ個の同一又は異なる基であり、
ｎは、０、１又は２の数であり、
Ｒ1 、Ｒ2 、Ｒ3 及びＲ4 は、互いに独立に、それぞれ、水素、又は置換若しくは非置換Ｃ1 〜Ｃ4 アルキルであり、
基：Ｘ1 及びＸ2 の一方は、クロロであり、他方は、フルオロであり、
Ｙは、ビニル又は基：−ＣＨ2 −ＣＨ2 −Ｕであり、そして
Ｕは、脱離基である〕
で示される化合物。
【請求項２】
Ｒ1 、Ｒ2 、Ｒ3 及びＲ4 が、互いに独立に、それぞれ水素又はＣ1 〜Ｃ4 アルキルである、請求項１記載の化合物。
【請求項３】
Ｘ1 が、クロロであり、Ｘ2 が、フルオロである、請求項１又は２記載の化合物。
【請求項４】
Ｂが、非置換又はヒドロキシル、スルホ若しくはスルファト置換の、直鎖若しくは分枝鎖Ｃ2 〜Ｃ6 アルキレン、好ましくは非置換の直鎖若しくは分枝鎖Ｃ2 〜Ｃ6 アルキレンである、請求項１〜３のいずれか１項記載の化合物。
【請求項５】
（Ｒ)nが、メチル、メトキシ、クロロ及びスルホよりなる群からの０又は１個の基であり、
Ｙが、ビニル、β−クロロエチル、β−スルファトエチル、β−チオスルファトエチル、β−アセトキシエチル、β−フェノキシエチル又はβ−ホスファトエチルである、請求項１〜４のいずれか１項記載の化合物。
【請求項６】
Ｄが、式（２ａ）：
【化２】
1997165525.tif 000002
〔式中、
（Ｒ6)0-3 は、Ｃ1 〜Ｃ4 アルキル、Ｃ1 〜Ｃ4 アルコキシ、ハロゲン、カルボキシル及びスルホよりなる群からの０〜３個の同一又は異なる置換基であり、そして
Ｙは、ビニル、β−クロロエチル、β−スルファトエチル、β−チオスルファトエチル、β−アセトキシエチル、β−フェノキシエチル又はβ−ホスファトエチルである〕で示される基；又は式（２ｅ）：
【化３】
1997165525.tif 000003
〔式中、
（Ｒ7)0-4 は、ハロゲン、ニトロ、シアノ、トリフルオロメチル、スルファモイル、カルバモイル、Ｃ1 〜Ｃ4 アルキル、Ｃ1 〜Ｃ4 アルコキシ、アミノ、アセチルアミノ、ウレイド、ヒドロキシル、カルボキシル、スルホメチル及びスルホよりなる群からの０〜４個の同一又は異なる置換基である〕で示される基；又は式（２ｈ）若しくは（２ｈ′）：
【化４】
1997165525.tif 000004
〔式中、
Ｒ8 は、Ｃ1 〜Ｃ4 アルカノイル、ベンゾイル又は式（３）：
【化５】
1997165525.tif 000005
〔式中、
Ｔ1 及びＴ2 は、互いに独立に、それぞれ、ヒドロキシル、Ｃ1 〜Ｃ4 アルコキシ、Ｃ1 〜Ｃ4 アルキルチオ、モルホリノ又はアミノ（これは、非置換であるか、又は非反応性基で置換されている）である〕で示される非反応性トリアジニル基である〕で示される基；又は式（２ｋ）：
【化６】
1997165525.tif 000006
〔式中、
Ｒ10及びＲ12は、互いに独立に、水素、Ｃ1 〜Ｃ4 アルキル又はフェニルであり、そして
Ｒ11は、水素、シアノ、カルバモイル又はスルホメチルである〕で示される基；又は式（２ｓ）：
【化７】
1997165525.tif 000007
〔式中、
（Ｒ6 ′)0-3は、Ｃ1 〜Ｃ4 アルキル若しくはＣ1 〜Ｃ4 アルコキシ（これらは、非置換であるか、又はヒドロキシル、スルファト若しくはＣ1 〜Ｃ2 アルコキシで置換されている）、ハロゲン、カルボキシル、又はスルホよりなる群からの０〜３個の同一又は異なる置換基であり、そして
（Ｒ6)0-3 は、上記に定義されたとおりである〕で示される基；又は式（２ｖ）：
【化８】
1997165525.tif 000008
で示される基である、請求項１〜５のいずれか１項記載の化合物。
【請求項７】
式（１ａ）：
【化９】
1997165525.tif 000009
〔式中、
Ｒ′は、水素、メチル、メトキシ、クロロ又はスルホであり、
Ｙは、ビニル又はβ−スルファトエチルであり、
Ｒ1 、Ｒ2 、Ｒ3 及びＲ4 は、互いに独立に、それぞれ、水素又はＣ1 〜Ｃ4 アルキルであり、
基：Ｘ1 及びＸ2 の一方は、クロロであり、他方は、フルオロであり、
Ｂは、直鎖又は分枝鎖Ｃ2 〜Ｃ6 アルキレンであり、そして
Ｄは、請求項６に定義された式（２ａ）、（２ｅ）、（２ｈ）、（２ｈ′）、（２ｋ）、（２ｓ）又は（２ｖ）の基である〕
で示される、請求項６記載の化合物。
【請求項８】
Ｒ′が、水素又はスルホであり、Ｙが、ビニル又はβ−スルファトエチルであり、Ｒ1 、Ｒ2 、Ｒ3 及びＲ4 が、それぞれ、水素であり、Ｘ1 が、クロロであり、Ｘ2 が、フルオロであり、Ｂが、直鎖又は分枝鎖Ｃ2 〜Ｃ6 アルキレンであり、そしてＤが、式（２ｓ′）、（２ｅ′）又は（２ｖ）：
【化１０】
1997165525.tif 000010
〔式中、
（Ｒ6)1-3 は、メチル、メトキシ及びスルホよりなる群からの１〜３個の同一又は異なる基であり、
（Ｒ6 ′)0-2は、スルホ、メチル及びメトキシよりなる群からの０〜２個の同一又は異なる基であり、
Ｒ7 は、メチル、メトキシ、アセチルアミノ、ウレイド又はスルホであり、そして
Ｋは、１−若しくは２−ナフチル基（これらは、スルホ、アミノ、ヒドロキシル、ベンゾイルアミノ、又は式（３）：
【化１１】
1997165525.tif 000011
（式中、Ｔ1 及びＴ2 は、互いに独立に、それぞれ、モルホリノ、アミノ、メチルアミノ、エチルアミノ、β−ヒドロキシエチルアミノ、Ｎ，Ｎ−ジ−β−ヒドロキシエチルアミノ、β−スルホエチルアミノ、シクロヘキシルアミノ、ｏ−、ｍ−若しくはｐ−メチルフェニルアミノ、ｏ−、ｍ−若しくはｐ−メトキシフェニルアミノ、ｏ−、ｍ−若しくはｐ−スルホフェニルアミノ、２，４−若しくは２，５−ジスルホフェニルアミノ、２−若しくは３−スルホ−４−メトキシフェニルアミノ、２−若しくは３−スルホ−４−メチルフェニルアミノ、４−メチル−２，５−ジスルホフェニルアミノ、ｏ−カルボキシフェニルアミノ、１−若しくは２−ナフチルアミノ、１−スルホ−２−ナフチルアミノ、１，５−ジスルホ−２−ナフチルアミノ、６，８−ジスルホ−２−ナフチルアミノ、４，８−ジスルホ−２−ナフチルアミノ、４，６，８−トリスルホ−２−ナフチルアミノ、１，５，７−トリスルホ−２−ナフチルアミノ、３，６，８−トリスルホ−２−ナフチルアミノ、１，６−ジスルホ−２−ナフチルアミノ、Ｎ−エチル−Ｎ−フェニルアミノ、Ｎ−メチル−Ｎ−フェニルアミノ、Ｎ−β−スルホエチル−Ｎ−フェニルアミノ、又はβ−ヒドロキシエチル−Ｎ−フェニルアミノである）で置換されている）、又は式（４）：
【化１２】
1997165525.tif 000012
で示されるピロリドン基である〕
で示される基である、式（１ａ）の請求項７記載の化合物。
【請求項９】
式（１ｂ）：
【化１３】
1997165525.tif 000013
〔式中、
Ｒ′は、水素、メチル、メトキシ、クロロ又はスルホであり、
（Ｒ6)0-3 は、Ｃ1 〜Ｃ4 アルキル、Ｃ1 〜Ｃ4 アルコキシ、ハロゲン、カルボキシル及びスルホよりなる群からの０〜３個の同一又は異なる基であり、
Ｙは、ビニル又はβ−スルファトエチルであり、そして
Ｂは、直鎖又は分枝鎖Ｃ2 〜Ｃ6 アルキレンである〕
で示される、請求項１記載の化合物。
【請求項１０】
請求項１記載の式（１）の化合物を製造する方法であって、
それぞれの場合に、約１モル当量の式（５）、（６）、（７）、（８）、（９）及び（１０）：
【化１４】
1997165525.tif 000014
〔式中、
Ｂ、Ｄ、（Ｒ)n、Ｒ1 、Ｒ2 、Ｒ3 、Ｒ4 、Ｘ1 、Ｘ2 及びＹは、それぞれ、請求項１に定義されたとおりである〕
で示される化合物を、互いにいかなる順序においても反応させることを特徴とする方法。
【請求項１１】
ヒドロキシル基又は窒素含有繊維材料を浸染又は捺染するための、請求項１記載の式（１）の化合物。